(57)【要約】      （修正有）【課題】着座の安定性や持ち運びの利便性を確保することができるとともに、所定の組付精度を満足し、かつ容易に製作することができる正座補助椅子を提供する。【解決手段】座板２と、この座板２を支持する一対の脚部材３，３とを備える正座補助椅子１ａであって、各脚部材３の上面に突起を設けるとともに、該突起と嵌合する嵌合口を座板２の下面に設け、これら突起と嵌合口とを嵌合させることで座板２に組み付けられる一対の脚部材３，３を連結するように保持する保持部材４をそれら脚部材３，３に着脱可能に設けるものとする。【選択図】図１
0003177788.tif 000002
【実用新案登録請求の範囲】
【請求項１】
人の臀部を載せることができる座板と、この座板を支持する一対の脚部材とを備える正座補助椅子であって、
前記脚部材の上面に突起を設けるとともに、該突起と嵌合する嵌合口を前記座板の下面に設け、
前記突起と嵌合口とを嵌合させることで前記座板に組み付けられる前記脚部材を連結するように保持する保持部材を前記脚部材に着脱可能に設けることを特徴とする正座補助椅子。
【請求項２】
前記脚部材の上面とその上面に対向する前記座板の下面とには、いずれか一方に磁石体が、他方に磁性体が埋設される請求項１に記載の正座補助椅子。
【請求項３】
前記保持部材の上面とその上面に対向する前記座板の下面とには、いずれか一方に磁石体が、他方に磁性体が埋設される請求項１または２に記載の正座補助椅子。
【考案の詳細な説明】
【技術分野】
【０００１】
本考案は、冠婚葬祭や各種の会合の席などで長時間正座するときに、お尻の下に敷いて足が痺れるのを軽減する正座補助椅子に関するものである。
【背景技術】
【０００２】
従来の正座補助椅子として、例えば特許文献１にて提案されているものがある。
【先行技術文献】
【特許文献】
【０００３】
【特許文献１】実用新案登録第３１６２９６７号公報
【０００４】
この特許文献１に係る正座補助椅子は、人の臀部を載せることができる座板と、この座板を支持する一対の脚部材と、各脚部材の上端部と座板の下面とを接合する一対の蝶番とを備え、これら蝶番により、一対の脚部材を、座板の下面に対して鉛直な向きに起立させる起立位置と、座板の下面に平行な向きに折り畳む折畳位置との間で回動可能とし、かつ一対の脚部材を起立位置に保持する保持部材をそれら脚部材に着脱可能に設けてなるものである。
【０００５】
この正座補助椅子によれば、着座者の横方向の体重移動を伴う使用にも耐え、しかもコンパクトに折畳可能であるので、着座の安定性や持ち運びの利便性を確保することができる。
【０００６】
ところで、上記の正座補助椅子においては、一対の脚部材に対し保持部材を着脱可能に設ける上で、座板に一対の脚部材を高い精度で組み付ける必要がある。
しかしながら、上記の正座補助椅子では、座板に一対の脚部材を組み付けるに際して、座板に対し一対の脚部材を正確に位置決めして両者を蝶番で接合する作業が難しいため、容易に製作することができないという問題点がある。
【考案の概要】
【考案が解決しようとする課題】
【０００７】
本考案は、前述のような問題点に鑑みてなされたもので、着座の安定性や持ち運びの利便性を確保することができるとともに、所定の組付精度を満足し、かつ容易に製作することができる正座補助椅子を提供することを目的とするものである。
【課題を解決するための手段】
【０００８】
前記目的を達成するために、本考案による正座補助椅子は、
人の臀部を載せることができる座板と、この座板を支持する一対の脚部材とを備える正座補助椅子であって、
前記脚部材の上面に突起を設けるとともに、該突起と嵌合する嵌合口を前記座板の下面に設け、
前記突起と嵌合口とを嵌合させることで前記座板に組み付けられる前記脚部材を連結するように保持する保持部材を前記脚部材に着脱可能に設けることを特徴とするものである。
【０００９】
本考案において、前記脚部材の上面とその上面に対向する前記座板の下面とには、いずれか一方に磁石体が、他方に磁性体が埋設されるのが好ましい（第２考案）。
【００１０】
本考案において、前記保持部材の上面とその上面に対向する前記座板の下面とには、いずれか一方に磁石体が、他方に磁性体が埋設されるのが好ましい（第３考案）。
【考案の効果】
【００１１】
本考案の正座補助椅子においては、一対の脚部材のそれぞれの上面に突起が設けられるとともに、該突起と嵌合する嵌合口が座板の下面に設けられ、これら突起と嵌合口とを嵌合させることで一対の脚部材が座板に正確に位置決めされた状態で組み付けられる。したがって、一対の脚部材に対し保持部材を着脱可能に設ける上で必要とされる所定の組付精度を満足し、かつ従来の蝶番による接合工程が不要であるので容易に製作することができる。
また、座板に組み付けられた一対の脚部材は保持部材によって連結されるので、着座者の横方向の体重移動を伴う使用にも耐えることができ、着座の安定性を確保することができる。
また、座板、一対の脚部材および保持部材をパーツ毎に分解することで、コンパクトに纏めて鞄等に収納可能となるので、持ち運びの利便性を確保することができる。
【００１２】
第２考案の構成を採用することにより、組付時においては、磁石体と磁性体との間に作用する磁力によって座板に脚部材が吸い付けられるので、組付作業をより容易に行うことができ、組付後においては、同磁力によって座板に対する脚部材の組付状態が確実に保持されて持ち運び時に脚部材が外れたりするのを確実に防止することができる。
【００１３】
第３考案の構成を採用することにより、組付時においては、磁石体と磁性体との間に作用する磁力によって座板に保持部材が吸い付けられるので、組付作業をより容易に行うことができ、組付後においては、同磁力によって座板に対する保持部材の組付状態が確実に保持されて持ち運び時に保持部材が外れたりするのを確実に防止することができる。
【図面の簡単な説明】
【００１４】
【図１】本考案の一実施形態に係る椅子高さ調整台付き正座補助椅子の使用状態の正面図
【図２】本実施形態の椅子高さ調整台付き正座補助椅子の側面図
【図３】座板の正面図（ａ）および底面図（ｂ）
【図４】脚部材の平面図（ａ）および側面図（ｂ）
【図５】保持部材の平面図（ａ）、正面図（ｂ）および底面図（ｃ）
【図６】椅子高さ調整台の平面図（ａ）および分解状態の正面図（ｂ）
【考案を実施するための形態】
【００１５】
次に、本考案による正座補助椅子の具体的な実施の形態について、図面を参照しつつ説明する。
【００１６】
＜正座補助椅子の概略説明＞
図１および図２に示されるように、本実施形態に係る椅子高さ調整台付き正座補助椅子１は、正座補助椅子１ａに、椅子高さを調整するための椅子高さ調整台１ｂが装着されて構成されている。
正座補助椅子１ａは、人の臀部Ｈを載せることができる座板２と、この座板２を支持するためにその座板２の横方向Ｘに所定間隔を存して配される一対の脚部材３，３と、これら脚部材３，３を連結するように保持する保持部材４とを備えている。
【００１７】
＜座板の説明＞
図３（ａ）（ｂ）に示されるように、座板２は、基板５の上面に弾力性に富むクッション材６が貼り付けられて構成され、横方向Ｘ（着座者の左右方向）の寸法に対して奥行方向Ｙ（着座者の前後方向）の寸法が短い略長方形状で、人の臀部Ｈを載せることができる大きさに形成されている。なお、このクッション材６を合成皮や市販の布地類などのカバーで覆うのが好ましい。また、このカバーには、華麗な色柄を付したり、冠婚葬祭に適合する和風調の色柄を付したりするのがよい。
【００１８】
＜脚部材の説明＞
図４（ａ）（ｂ）に示されるように、脚部材３は、上部が下部に対し奥行方向Ｙにやや幅広にされた板状部材で構成されている。また、脚部材３の脚長寸法は、脚部材３が座板２に組み付けられた状態にあるときに、座板２が所定高さ位置に配されるようにその大きさが決定されている。ここで、所定高さ位置とは、図１に示されるように、着座者が臀部Ｈを座板２に載せて正座姿勢をとったとしても、ふくらはぎや足Ｆの圧迫が軽減され、しかも正座姿勢として違和感がないという条件を満足する高さ位置のことである。なお、この所定高さ位置は、椅子高さ調整台１ｂにて調整可能とされている。
また、図４（ｂ）に示されるように、脚部材３には、所要幅のスリット３ａが形成されている。このスリット３ａは、脚部材３の奥行方向Ｙの中間位置において、脚部材３の脚長方向中間位置から接地側の端位置（先端位置）に亘って形成されている。
【００１９】
＜脚部材の突起と座板の嵌合口の説明＞
図４（ｂ）に示されるように、各脚部材３の上面には、奥行方向Ｙに所定間隔を存して一対の突起７，７が設けられている。また、図３（ｂ）に示されるように、各突起７，７と嵌合する嵌合口８，８が基板５の下面に設けられている。これら突起７，７と嵌合口８，８とを嵌合させることで脚部材３が座板２に正確に位置決めされた状態で組み付けられる。
【００２０】
＜保持部材の説明＞
図１に示されるように、保持部材４は、一対の脚部材３，３を連結・保持して補強の役目を兼ねるものであって、各脚部材３に設けられたスリット３ａ（図４（ｂ）参照）に対する抜き差し操作により着脱可能に装着されている。
【００２１】
図５（ｂ）に示されるように、保持部材４は、保持部材本体４ａと、保持部材本体４ａの両側部に一体的に設けられている張出アーム４ｂとにより構成されている。
保持部材本体４ａは、接地面を有して当該保持部材本体４ａの土台を形成するベース部４ｃと、座板２に組み付けられた状態にある一対の脚部材３，３の間にぴったりと嵌り込む山部４ｄとを有し、一対の脚部材３，３のそれぞれのスリット３ａに抜き差し可能な形状寸法に形成されている。また、保持部材本体４ａには、手指を挿入可能な丸形状孔４ｅや角丸長方形状孔４ｅ´が設けられている。これら丸形状孔４ｅや角丸長方形状孔４ｅ´に手指を引っ掛けて保持部材４を操作することにより、一対の脚部材３，３に対する保持部材４の抜き差し動作をより容易に行うことができる。
【００２２】
張出アーム４ｂは、保持部材本体４ａが一対の脚部材３，３のそれぞれのスリット３ａに差し込まれた状態において、保持部材本体４ａから基板５の横方向Ｘの端部に向けて一対の脚部材３，３の外側に張り出すように延設され、その先端面が基板５の下面に突き当てられる。この張出アーム４ｂの外縁は、座板２と脚部材３との間に着座者の足Ｆ（図１参照）を組み入れるための空間をより広く確保するため、円弧状に切り欠かれた形状に形成されている。
【００２３】
張出アーム４ｂの基部と保持部材本体４ａの山部４ｄとの間には、脚部材３のスリット３ａの奥部が嵌り込む溝部４ｆが形成されている。
なお、一対の脚部材３，３に保持部材４が差し込まれて張出アーム４ｂの先端面が基板５の下面に突き当てられた状態において、脚部材３のスリット３ａの奥面と、保持部材４の溝部４ｆの奥面との間には、若干の隙間が設けられている。これにより、着座者が座板２に着座した際、座板２からの荷重が一対の脚部材３，３と共に一対の張出アーム４ｂ，４ｂに確実に作用するようにされている。
【００２４】
図５（ｃ）に示されるように、ベース部４ｃの下面には、横方向Ｘに所定間隔を存して一対の嵌合口９，９が設けられている。
【００２５】
＜保持部材の突起と座板の嵌合口の説明＞
図５（ｂ）に示されるように、保持部材本体４ａの山部４ｄの上面には、横方向Ｘの中間位置に突起１０が突設されている。また、図３（ｂ）に示されるように、この突起１０と嵌合する嵌合口１１が基板５の下面に設けられている。これら突起１０と嵌合口１１とを嵌合させることで保持部材４が座板２に正確に位置決めされた状態で組み付けられる。
【００２６】
＜椅子高さ調整台の説明＞
図６（ａ）に示されるように、椅子高さ調整台１ｂは、一対の脚部材３，３および保持部材４のそれぞれの下面に接触状態で敷かれる平面視Ｈの字状の台座１５を備えている。
台座１５は、図６（ｂ）に示されるように、上下方向に分割可能な上側の分割台座１５ａと下側の分割台座１５ｂとによって構成されている。
【００２７】
上側の分割台座１５ａには、保持部材４におけるベース部４ｃの下面に設けられた一対の嵌合口９，９に嵌合する一対の突起１６，１６がその上面から突設されている。
上側の分割台座１５ａには、横方向Ｘに所定間隔を存して一対の嵌合口１７，１７がその上下面を貫くように設けられている。
下側の分割台座１５ｂには、上側の分割台座１５ａに設けられた一対の嵌合口１７，１７に嵌合する一対の突起１８，１８がその上面から突設されている。
【００２８】
下側の分割台座１５ｂに設けられた一対の突起１８，１８を上側の分割台座１５ａに設けられた一対の嵌合口１７，１７に嵌合させることにより、これら分割台座１５ａ，１５ｂが互いに正確に位置決めされた状態で組み合わされ、椅子高さ調整台１ｂが組み立てられる。この椅子高さ調整台１ｂにおいて、上側の分割台座１５ａに設けられた一対の突起１６，１６を保持部材４のベース部４ｃに設けられた一対の嵌合口９，９に嵌合させることにより、正座補助椅子１ａに対し椅子高さ調整台１ｂが正確に位置決めされた状態で組み付けられる。
【００２９】
＜磁石体と磁性体の説明＞
図４（ａ）（ｂ）に示されるように、脚部材３の上面には、奥行方向Ｙの中間位置に磁性体（ビス等）２１が埋設される一方、その脚部材３の上面に対向する基板５の下面には、図３（ｂ）に示されるように、その磁性体２１に対応するように磁石体２２が埋設されている。
また、図５（ａ）（ｂ）に示されるように、保持部材４における張出アーム４ｂの先端面には、磁性体２３が埋設される一方、その張出アーム４ｂの先端面に対向する基板５の下面には、図３（ｂ）に示されるように、その磁性体２３に対応するように磁石体２４が埋設されている。
なお、図４（ｂ）に示されるように、脚部材３の側面における中央位置にも磁性体２５が埋設されており、基板５の下面に埋設される磁石体２２，２４を利用して、これら磁石体２２，２４と磁性体２５との間に作用する磁力により、分解後の収納時に、座板２に脚部材３を貼り付けて両者を一纏めに取り扱い易いようにされている。
さらに、図５（ｃ）に示されるように、保持部材４の下面には、横方向Ｘの中間位置に磁石体２６が埋設される一方、その保持部材４の下面に対向する上側の分割台座１５ａの上面には、図６（ａ）に示されるように、その磁石体２６に対応するように磁性体２７が埋設されている。
なお、例えば、脚部材３の上面に磁石体２２を、基板５の下面に磁性体２１をそれぞれ埋設すると言った具合に、上記の磁石体２２，２４，２６と磁性体２１，２３，２５，２７の埋め込みに関し、その埋め込み対象を入れ替える態様もあり得る。
【００３０】
＜構成部品の材質等の説明＞
脚部材３や保持部材４、基板５、分割台座１５ａ，１５ｂなどの各構成部品は、比較的高い剛性を得ることができるとともに軽量化を図ることができる木材や樹脂などの材質のもので構成するのが好ましい。また、クッション材６などの構成部品は、比較的高い弾性力を得ることができるとともに軽量化を図ることができる発泡樹脂などの材質のもので構成するのが好ましい。
【００３１】
＜作用効果の説明＞
以上に述べたように構成される椅子高さ調整台付き正座補助椅子１によれば、以下のような作用効果を得ることができる。
（１）一対の脚部材３，３のそれぞれの上面に突起７，７；７，７が設けられるとともに、該突起７，７；７，７と嵌合する嵌合口８，８；８，８が基板５の下面に設けられ、これら突起７，７；７，７と嵌合口８，８；８，８とを嵌合させることで一対の脚部材３，３が座板２に正確に位置決めされた状態で組み付けられるので、一対の脚部材３，３に対し保持部材４を着脱可能に設ける上で必要とされる所定の組付精度を満足し、かつ従来の蝶番による接合工程が不要であるので容易に製作することができる。
（２）座板２に組み付けられた一対の脚部材３，３は保持部材４によって連結されるので、着座者の横方向の体重移動を伴う使用にも耐えることができ、着座の安定性を確保することができる。なお、保持部材本体４ａの山部４ｄの上面に設けられた突起１０と、基板５の下面に設けられた嵌合口１１とを嵌合させることで保持部材４が座板２に正確に位置決めされた状態で組み付けられる。
（３）座板２、一対の脚部材３，３および保持部材４をパーツ毎に分解することで、コンパクトに纏めて鞄等に収納可能となるので、持ち運びの利便性を確保することができる。
（４）座板２に対する脚部材３および保持部材４の組付時においては、磁石体２２，２４と磁性体２１，２３との間に作用する磁力によって座板２に脚部材３および保持部材４がそれぞれ吸い付けられるので、組付作業をより容易に行うことができ、組付後においては、同磁力によって座板２に対する脚部材３および保持部材４のそれぞれの組付状態が確実に保持されて持ち運び時に脚部材３や保持部材４が外れたりするのを確実に防止することができる。
（５）上側の分割台座１５ａの上面に設けられた突起１６，１６を保持部材４の下面に設けられた嵌合口９，９に嵌合することにより、椅子高さ調整台１ｂが、一対の脚部材３，３および保持部材４に対し正確に位置決めされ、かつ水平方向のガタつきが抑えられた状態で組み付けられるので、着座の安定性を損なうことなく、着座者の体格に応じて座板２の使用時の高さを調整することができる。
（６）保持部材４に対する椅子高さ調整台１ｂの組付時においては、磁石体２６と磁性体２７との間に作用する磁力によって椅子高さ調整台１ｂが保持部材４に吸い付けられるので、組付作業をより容易に行うことができ、組付後においては、同磁力によって保持部材４に対する椅子高さ調整台１ｂの組付状態が確実に保持されて持ち運び時に外れたりするのを確実に防止することができる。
（７）椅子高さ調整台１ｂにおける台座１５が上側の分割台座１５ａと下側の分割台座１５ｂとによって構成されているので、座板２の使用時の高さを微調整することができる。なお、上側の分割台座１５ａと下側の分割台座１５ｂとの嵌合構造を上下方向に多段階に設けることで、座板２の使用時の高さを３段階以上に調整可能とすることができる。
【産業上の利用可能性】
【００３２】
本考案の正座補助椅子は、着座の安定性や持ち運びの利便性を確保することができるとともに、所定の組付精度を満足し、かつ容易に製作することができるという特性を有していることから、冠婚葬祭や各種の会合の席等で長時間正座するときにお尻の下に敷く携帯式の椅子としての用途に好適に用いることができる。
【符号の説明】
【００３３】
１        椅子高さ調整台付き正座補助椅子
１ａ      正座補助椅子
１ｂ      椅子高さ調整台
２        座板
３        脚部材
４        保持部材
７，１０，１６，１８    突起
８，９，１１，１７      嵌合口
１５                    台座
１５ａ，１５ｂ          分割台座
２１，２３，２５，２７  磁性体
２２，２４，２６        磁石体
【図１】
0003177788.tif 000003
【図２】
0003177788.tif 000004
【図３】
0003177788.tif 000005
【図４】
0003177788.tif 000006
【図５】
0003177788.tif 000007
【図６】
0003177788.tif 000008